(57)【特許請求の範囲】
【請求項１】
１つの無線ＬＡＮ基地局装置と複数の無線端末とが通信を行う無線通信システムにおける無線ＬＡＮ基地局装置の受付制御方法であって、
前記無線ＬＡＮ基地局装置は、パケットを選別するための条件と当該パケットの伝送速度を記述した第１管理テーブルと、
パケットを廃棄するための条件と廃棄内容を記述した第２管理テーブルとを有し、
前記無線ＬＡＮ基地局装置は、前記第１管理テーブルに記述された条件に合致するパケットを選別するステップ１と、
前記ステップ１で選別したパケットを前記第１管理テーブルに記述された伝送速度で送信するステップ２と、
前記無線通信システムで送受信されるパケットを監視することにより、新規無線端末の通信を許可または拒否するかを判断するステップ３と、
前記ステップ３での判断結果が拒否である場合に、前記第２管理テーブルに記述された条件に合致するパケットを、前記第２管理テーブルに記述された廃棄内容に基づき廃棄するステップ４とを備え、
前記ステップ１、前記ステップ２、前記ステップ３は常時に実行し、また、前記ステップ３において拒否と判断された場合に、前記ステップ４を実行することを特徴とする受付制御方法。
【請求項２】
前記ステップ３は、既に接続済みの前記無線端末が単位時間に占有する帯域あるいは時間の総量を算出するステップ３１と、
単位時間あたりに、前記無線端末が利用できる帯域あるいは時間の上限値を設定するステップ３２と、
前記ステップ３１で算出された値と、前記ステップ３２で設定された値を比較し、前記ステップ３１で算出された値が、前記ステップ３２で設定された値より小さい場合に許可、前記ステップ３１で算出された値が、前記ステップ３２で設定された値以上の場合に拒否と判断するステップ３３とを有することを特徴とする請求項１に記載の受付制御方法。
【請求項３】
前記ステップ３は、既に接続済みの前記無線端末が単位時間に占有する帯域あるいは時間の総量から、余剰帯域あるいは余剰時間を算出するステップ３４と、
単位時間あたりに前記新規無線端末がこれから利用する帯域あるいは時間を算出するステップ３５と、
前記ステップ３４で算出された値と、前記ステップ３５で算出された値とを比較し、前記ステップ３４で算出された値が、前記ステップ３５で算出された値以上の場合に許可、前記ステップ３４で算出された値が、前記ステップ３５で算出された値より小さい場合に拒否と判断するステップ３６とを有することを特徴とする請求項１に記載の受付制御方法。
【請求項４】
１つの無線ＬＡＮ基地局装置と複数の無線端末とが通信を行う無線通信システムにおける無線ＬＡＮ基地局装置であって、
パケットを選別するための条件と当該パケットの伝送速度を記述した第１管理テーブルと、
パケットを廃棄するための条件と廃棄内容を記述した第２管理テーブルと、
前記無線ＬＡＮ基地局装置は、前記第１管理テーブルに記述されたと条件に合致するパケットを選別するパケット選別手段と、
前記パケット選別手段で選別したパケットを前記第１管理テーブルに記述された伝送速度で送信するパケット送信手段と、
前記無線通信システムで送受信されるパケットを監視することにより、新規無線端末の通信を許可または拒否するかを判断する受付判断手段と、
前記受付判断手段での判断結果が拒否である場合に、前記第２管理テーブルに記述された条件に合致するパケットを、前記第２管理テーブルに記述された廃棄内容に基づき廃棄するパケット廃棄手段とを有することを特徴とする無線ＬＡＮ基地局装置。
【請求項５】
前記受付判断手段は、既に接続済みの前記無線端末が単位時間に占有する帯域あるいは時間の総量を算出する算出手段と、
単位時間あたりに、前記無線端末が利用できる帯域あるいは時間の上限値を設定する設定手段と、
前記算出手段で算出された値と、前記設定手段で設定された値とを比較し、前記算出手段で算出された値が、前記設定手段で設定された値より小さい場合に許可、前記算出手段で算出された値が、前記設定手段で設定された値以上の場合に拒否と判断する判断手段とを有することを特徴とする請求項４に記載の無線ＬＡＮ基地局装置。
【請求項６】
前記受付判断手段は、既に接続済みの前記無線端末が単位時間に占有する帯域あるいは時間の総量から、余剰帯域あるいは余剰時間を算出する算出手段２と、
単位時間あたりに前記新規無線端末がこれから利用する帯域あるいは時間を算出する算出手段３と、
前記算出手段２で算出された値と、前記算出手段３で算出された値とを比較し、前記算出手段２で算出された値が、前記算出手段３で算出された値以上場合に許可、前記算出手段２で算出された値が、前記算出手段３で算出された値よりも小さい場合に拒否と判断する判断手段とを有することを特徴とする請求項４に記載の無線ＬＡＮ基地局装置。
【請求項７】
請求項１ないし請求項３のいずれか１項に記載の受付制御方法をコンピュータに実行させるためのプログラム。
【発明の詳細な説明】
【技術分野】
【０００１】
本発明は、受付制御方法、無線ＬＡＮ基地局装置およびプログラムに係り、特に、無線ＬＡＮネットワークにおける無線ＬＡＮ基地局装置の受付制御技術に関する。
【背景技術】
【０００２】
通信ネットワークにおいて、音声や映像に属するアプリケーションはリアルタイム通信と呼ばれ、データに属するアプリケーションの非リアルタイム通信と比較して、高い通信品質が要求される。
ここで、通信品質とは、パケットロス率及び遅延量、ジッタ量等を指し、いずれもＩＰ（Internet Protocol）を用いたパケット通信において、品質を表すパラメータである。リアルタイム通信において要求される通信品質は、利用されるアプリケーションの種類により異なる。
無線ＬＡＮ基地局装置（以下、単に、基地局という）と無線ＬＡＮ端末（以下、単に、無線端末という）から構成される無線ＬＡＮネットワークにおいても、有線ネットワークと同様に、アプリケーション毎に要求される通信品質に応じ、通信品質を確保する仕組みが必要となる。
図１に、従来の無線ＬＡＮネットワークの構成例を示す。基地局１（１１）と無線端末１、２、３（２１，２２，２３）が無線ＬＡＮネットワーク１（３１）を構成し、無線ＬＡＮネットワーク１（３１）は、基地局１（１１）を介して有線ネットワーク１（４１）と接続される。
無線端末１、２、３（２１，２２，２３）は、有線ネットワーク上の認証装置１（５１）により認証許可を受けると、有線ネットワーク上のサーバ１，２（６１，６２）等と通信を開始する。
ここで、無線端末１，２，３（２１，２２，２３）は、有線ネットワーク上の認証装置１（５１）により、認証許可を受けたときのみ通信を開始する。このため、無線ＬＡＮネットワーク内において、無線端末同士が認証許可を受ける前に、直接通信を開始することはない。さらに、図１では、無線端末１、３（２１，２３）は、サーバ１（６１）と映像通信を、無線端末２（２２）はサーバ２（６２）と音声通信を行っている例を示している。
【０００３】
図１に示す無線ＬＡＮネットワーク１（３１）において、基地局１（１１）と無線端末１，２，３（２１，２２，２３）とで送受信されるパケットの伝送レート（Ｒ１１，Ｒ１２，Ｒ２１，Ｒ２２，Ｒ３１，Ｒ３２）は、送信パケット毎に異なる。
図１において、基地局１（１１）から無線端末に対し、送信されるパケットの伝送レート（Ｒ１１，Ｒ２１，Ｒ３１）が低いと、サーバ１（６１）から無線端末１（２１）に対し送信される単位時間あたりのデータ量は少なくなり、無線端末１（２１）は高いスループットを得ることができない。このため、映像アプリケーションのように高いスループットを必要とする通信では、基地局１（１１）と無線端末との間で高い伝送レートを用いることにより、通信品質を確保する必要がある。
さらに、図１において、１つの基地局１（１１）と複数の無線端末は、無線ＬＡＮネットワーク内で帯域を共有している。通信容量が限定された通信路において、映像や音声に属するリアルタイム系の通信が多数存在し同時に大容量の通信を行うと、無線ＬＡＮネットワーク１（３１）に属するパケット間で競合が生じ、全ての通信品質が劣化する。映像配信サービスを利用しているユーザにとっては見ている動画が静止し、また音声サービスを利用しているユーザは、音声の途切れまたは無音といった状況を引き起こすこととなる。
【０００４】
図２を用いて、前述の事象を経過時間に沿って説明する。図２は、図１に表記されたネットワークで、無線端末１、２、３（２１，２２，２３）が基地局１（１１）及び有線ネットワーク上にあるサーバ１、２（６１、６２）と通信を行う際のシーケンスを表す。
無線端末１（２１）は、基地局１（１１）に接近すると、基地局１（１１）との間で接続のためのシーケンス(Association Request,Association Response)を送受信する（図２の２０１）。続いて、無線端末１（２１）は、認証装置１（５１）との間で認証のためのシーケンス(Authentication Request,Authentication Response)を送受信する（図２の２０２）。
認証装置１（５１）が、無線端末１（２１）に対し認証を許可すると、無線端末１（２１）とサーバ１（６１）との間でアプリケーションに関連するパケットが送受信される。
無線端末２、３（２２，２３）と、サーバ２、１（６２，６１）との間でも同様のパケットが送受信される。このとき、基地局１（１１）は、パケット制御機能を具備していないため、無線端末３（２３）の通信が開始して無線容量を超過すると、無線端末１、２、３（２１，２２，２３）とサーバ１、２（６１，６２）の間の通信品質は全て劣化する。
【０００５】
図３に、従来の基地局１（１１）におけるパケットの送信処理を示す。
図３に示す処理は、基地局１（１１）が、図２において、サーバ１、２（６１，６２）より無線端末１，２，３（２１，２２，２３）に向けて送信されるパケットをサーバより受信し、無線端末に対して送信する場合の処理を表している。
基地局１（１１）は、パケットを有線ネットワーク１（４１）より受信すると（ステップＳ５０）、無線ＬＡＮネットワーク１（３１）に対してパケットを送信する（ステップＳ５１）。
また、基地局１（１１）は、無線ＬＡＮネットワーク１（３１）よりパケットを受信すると、有線ネットワーク１（４１）に対してパケットを送信する。
従来の基地局１（１１）は、パケットを単に無線ＬＡＮネットワーク１（３１）から有線ネットワーク１（４１）、または有線ネットワーク１（４１）から無線ＬＡＮネットワーク１（３１）に対して転送する機能しか具備していないため、図２において、無線端末１，２，３（２１，２２，２３）が同時に通信を行い、無線容量を超過した場合には、無線端末１，２，３（２１，２２，２３）とサーバ１，２（６１，６２）の間の通信品質が全て劣化する。
図１に示す無線ＬＡＮネットワーク１（３１）において、通信品質を確保するための方法として、基地局１（１１）が接続する無線端末の数を制限する方法が考えられる。本方法は、図２に表記されるシーケンスで言えば、基地局１（１１）において、Associationを許可した無線端末の数を制限することで実現が可能である。
しかしながら、本方法は、接続及び認証が終了した後、通信を行っていない無線端末も合わせて数えてしまうため、帯域利用効率は非常に低くなってしまう。
【０００６】
なお、本願発明に関連する先行技術文献としては以下のものがある。
【非特許文献１】EE Std.802.11e-2005,“Wireless LAN Medium Access Control (MAC)and Physical Layer(PHY)specifications Amendment 8: Medium Access Contro1 (MAC)Quality of Service Enhancements”
【発明の開示】
【発明が解決しようとする課題】
【０００７】
以上の背景を鑑み、本発明が解決しようとする課題は、次の通りである。
（１）無線ＬＡＮネットワークにおいて同時通信数が増加したり、通信量が無線容量を超過すると、通信中の全ての通信品質が劣化するという問題があった。
（２）また、接続する無線端末数を制限する方法では、帯域利用効率が低くなってしまうという問題があった。
本発明は、前記従来技術の問題点を解決するためになされたものであり、本発明の目的は、無線ＬＡＮ基地局装置と無線端末との間の通信品質を確保することが可能となる無線ＬＡＮ基地局装置の受付制御方法を提供することにある。
また、本発明の他の目的は、前述の受付制御方法を実行する無線ＬＡＮ基地局装置を提供することにある。
また、本発明の他の目的は、前述の受付制御方法をコンピュータに実行させるためのプログラムを提供することにある。
本発明の前記ならびにその他の目的と新規な特徴は、本明細書の記述及び添付図面によって明らかにする。
【課題を解決するための手段】
【０００８】
本願において開示される発明のうち、代表的なものの概要を簡単に説明すれば、下記の通りである。
（１）１つの無線ＬＡＮ基地局装置と複数の無線端末とが通信を行う無線通信システムにおける無線ＬＡＮ基地局装置の受付制御方法であって、前記無線ＬＡＮ基地局装置は、パケットを選別するための条件と当該パケットの伝送速度を記述した第１管理テーブルと、パケットを廃棄するための条件と廃棄内容を記述した第２管理テーブルとを有し、前記無線ＬＡＮ基地局装置は、前記第１管理テーブルに記述された条件に合致するパケットを選別するステップ１と、前記ステップ１で選別したパケットを前記第１管理テーブルに記述された伝送速度で送信するステップ２と、前記無線通信システムで送受信されるパケットを監視することにより、新規無線端末の通信を許可または拒否するかを判断するステップ３と、前記ステップ３での判断結果が拒否である場合に、前記第２管理テーブルに記述された条件に合致するパケットを、前記第２管理テーブルに記述された廃棄内容に基づき廃棄するステップ４とを備え、前記ステップ１、前記ステップ２、前記ステップ３は常時に実行し、また、前記ステップ３において拒否と判断された場合に、前記ステップ４を実行する。
【０００９】
（２）（１）において、前記ステップ３は、既に接続済みの前記無線端末が単位時間に占有する帯域あるいは時間の総量を算出するステップ３１と、単位時間あたりに、前記無線端末が利用できる帯域あるいは時間の上限値を設定するステップ３２と、前記ステップ３１で算出された値と、前記ステップ３２で設定された値を比較し、前記ステップ３１で算出された値が、前記ステップ３２で設定された値より小さい場合に許可、前記ステップ３１で算出された値が、前記ステップ３２で設定された値以上の場合に拒否と判断するステップ３３とを有する。
（３）（１）において、前記ステップ３は、既に接続済みの前記無線端末が単位時間に占有する帯域あるいは時間の総量から、余剰帯域あるいは余剰時間を算出するステップ３４と、単位時間あたりに前記新規無線端末がこれから利用する帯域あるいは時間を算出するステップ３５と、前記ステップ３４で算出された値と、前記ステップ３５で算出された値とを比較し、前記ステップ３４で算出された値が、前記ステップ３５で算出された値以上の場合に許可、前記ステップ３４で算出された値が、前記ステップ３５で算出された値より小さい場合に拒否と判断するステップ３６とを有する。
（４）前述の（１）ないし（３）のいずれか１項に記載の受付制御方法を実行する基地局である。
（５）前述の（１）ないし（３）のいずれか１項に記載の受付制御方法をコンピュータに実行させるためのプログラムである。
【発明の効果】
【００１０】
本願において開示される発明のうち代表的なものによって得られる効果を簡単に説明すれば、下記の通りである。
本発明によれば、無線端末の台数を制限する方法と比較して、帯域の利用効率を高め、無線ＬＡＮ基地局装置と無線端末との間の通信品質を確保することが可能となる。
【発明を実施するための最良の形態】
【００１１】
以下、図面を参照して本発明の実施例を詳細に説明する。
なお、実施例を説明するための全図において、同一機能を有するものは同一符号を付け、その繰り返しの説明は省略する。
［実施例１］
図４は、本発明の実施例の無線ＬＡＮ基地局装置の受付制御方法を実施する無線ＬＡＮネットワークの概略構成を示すブロック図である。
図４において、無線ＬＡＮ基地局装置（以下、単に、基地局という）２（１２）は、無線ＬＡＮ端末（以下、単に、無線端末という）４，５，６（２４，２５，２６）と無線ＬＡＮネットワーク２（３２）を構成し、無線帯域を共有する。無線ＬＡＮネットワーク２（３２）に属する無線端末は、有線ネットワーク２（４２）に接続されたサーバと通信を開始する前に、認証装置２（５２）により認証を受ける。
認証装置２（５２）により通信が許可された場合に、無線端末４（２４）は基地局２（１２）を介して有線ネットワーク２（４２）に接続されたサーバ３（６３）と映像アプリケーションによる通信を行い、また無線端末５（２５）はサーバ４（６４）と音声アプリケーションによる通信を行う。
基地局２（１２）は、アプリケーション毎にパケットを選別するための第１管理テーブルを具備している。第１管理テーブルに記載された条件に合致したパケットは、第１管理テーブルに記載された伝送レートで基地局より送信される。
【００１２】
従って、無線ＬＡＮネットワーク２（３２）は、任意のフローに対して、伝送レートを複数の伝送レートに分割される。図４では、サーバ３,４（６３，６４）から送信されるパケットが、第１管理テーブルに記載された伝送レートを用いて無線端末４、５（２４，２５）に送信される場合の図を示している。
図４において、基地局２（１２）は、無線端末４、５（２４，２５）がサーバ３、４（６３，６４）と通信中に、無線区間の通信量を観測することにより、通信容量に対して新規の無線端末をこれ以上受け入れられないと判断する。
その後、基地局２（１２）は、無線端末６（２６）が認証装置宛に送信したパケットを廃棄する。無線端末６（２６）は、複数回に渡って認証装置宛にパケットを送信するが、返答が返ってこないためにタイムアウトし、また認証手順が正常に終了しないため有線ネットワーク２（４２）とは通信を行わない。
【００１３】
図５に、基地局２（１２）における管理テーブルの一例を示す。図５（ａ）に、第１管理テーブル１０１を、図５（ｂ）に、第２管理テーブル１０２の内容を示す。
第１管理テーブル１０１は、「登録番号」、「送信元のＩＰアドレス」、「送信元のポート番号」、「送信先のＩＰアドレス」、「送信先のポート番号」、「サービス種別」、「伝送レート」の項目からなり、基地局２（１２）の管理者によって作成される。
第１管理テーブル１０１は、最低限、「送信元のＩＰアドレス」、「送信元のポート番号」、「送信先のＩＰアドレス」、「送信先のポート番号」のうちいずれか一項目に対して、「伝送レート」が対応付けされる。なお、第１管理テーブル１０１は、基地局２（１２）において一定時間パケットを観測することにより、当該テーブルを自動的に学習できるようにしてもよい。また、本実施例の第１管理テーブル１０１は、ＩＰアドレスを用いたテーブル例を示しているが、ＭＡＣアドレスを用いても同様の制御が可能である。
図５（ａ）に示す第１管理テーブル１０１の登録番号１、２に示されている条件は、図４におけるサーバ３、４（６３，６４）に関係するフローの情報である。
サーバ３（６３）に属するフローは、第１管理テーブル１０１により定められた伝送レート５４Ｍｂｐｓで送信される。また、サーバ４（６４）に属するフローは、同様に、１２Ｍｂｐｓで送信される。
このように、第１管理テーブル１０１を用いることにより、基地局２（１２）を通過するパケットに対して、サーバやアプリケーション毎に伝送レートを固定して、パケットを送信することができる。
【００１４】
図４に示す無線ＬＡＮネットワーク２（３２）において、無線端末６（２６）が無線ＬＡＮネットワーク２（３２）に近づき、基地局２（１２）と通信を開始する場合の、基地局２（１２）における制御を説明する。
基地局２（１２）は、無線ＬＡＮネットワーク２（３２）内の通信を常に監視し、これ以上新規の通信無線端末を収容できないと判断した場合に、基地局２（１２）は、パケット廃棄処理を有効化する。
パケット廃棄処理が有効の状態では、パケット廃棄処理の有効化後に接続を要求した無線端末に属する通信を監視し、基地局２（１２）における第２管理テーブル１０２を参照する。
図５（ｂ）に、パケット廃棄処理の有効化の時に使用される第２管理テーブル１０２の内容を示す。第２管理テーブル１０２は、「登録番号」、「送信元のＩＰアドレス」、「送信元のポート番号」、「送信先のＩＰアドレス」、「送信先のポート番号」、「制御内容（全廃棄または一部廃棄）」の項目からなり、基地局２（１２）の管理者によって作成される。
第２管理テーブル１０２は、最低限、「送信元のＩＰアドレス」、「送信元のポート番号」、「送信先のＩＰアドレス」、「送信先のポート番号」のうちいずれか一項目に対して、「制御内容（全廃棄または一部廃棄）」が対応付けされる。
基地局２（１２）は、パケット廃棄処理を有効化した後、図５（ｂ）に示す第２管理テーブル１０２に記述されたパケットを観測した場合には、当該第２管理テーブル１０２に記載されている制御内容を実行する。
本実施例では、無線端末６（２６）から認証装置２（５２）へ送信されるパケットは、登録番号１に合致するため、基地局２（１２）は、第２管理テーブル１０２に記述されている制御内容、即ち、登録番号１に該当するパケットを全部廃棄する制御を実行する。
無線端末６（２６）は、認証装置２（５２）からの返答がなく、認証処理が終了しないため、有線ネットワーク２（４２）との通信は行わない。また、新規の無線端末６（２６）に関する通信が開始されないため、既に通信を行っている無線端末４、５（２４，２５）に関する通信は、高い通信品質を維持することができる。
【００１５】
図６に、本実施例１における無線ＬＡＮネットワーク２（３２）における無線端末４、５、６（２４，２５，２６）に関する接続シーケンスの一例を示す。
図６において、無線端末４（２４）及び無線端末５（２５）は、図２と同様のシーケンスを実行することにより、サーバ３、４（６３，６４）と通信を開始する。
本実施例では、基地局２（１２）から無線端末４、５（２４，２５）への通信は、図５（ａ）の第１管理テーブル１０１に合致するため伝送レートを固定化され（Ｒ４１，Ｒ５１）送信される。
また、基地局２（１２）は、既に新規の無線端末を受け入れられない状態は判断する。その後、無線端末６（２６）が、無線ＬＡＮネットワーク２（３２）内に移動すると、基地局２（１２）は、図５（ｂ）の第２管理テーブル１０２における登録番号１に合致するパケットを観測し（図６の２０３）、当該第２管理テーブル１０２に記述された制御内容に合致する制御を行う。
本実施例では、当該フローに属するパケットは全て廃棄する制御を実行する（図６の２０４）。即ち、本実施例では、無線端末６（２６）から認証装置２（５２）に対するパケットを観測すると、パケットを全廃棄する。
これにより、無線端末６（２６）に対する認証処理は完了しないため、無線端末６（２６）と有線ネットワーク２（４２）との間の通信は開始されない。従って、無線端末４（２４）及び無線端末５（２５）と有線ネットワーク２（４２）に属するサーバ３，４（６３，６４）との間の通信品質は高いまま維持することができる。
【００１６】
図７に、本実施例の基地局２（１２）のパケット送信処理方法と受付制御方法の処理手順を表すフローチャートを示す。
基地局２（１２）は、有線ネットワーク２（４２）または無線ネットワーク２（３２）よりパケットを受信すると（ステップＳ１０）、パケット廃棄処理が有効になっていれば、パケット廃棄処理を実行する（ステップＳ１１）。
その後、基地局２（１２）は、処理の対象となっているパケットが、有線ネットワーク２（４２）から無線ＬＡＮネットワーク２（３２）に対して送信されているかどうかを判断する（ステップＳ１２）。
ステップＳ１２の判断結果がＮＯであれば、パケット送信処理を実行する（ステップＳ１５）。
ステップＳ１２の判断結果がＹＥＳであれば、パケット選別処理（ステップＳ１３）と、伝送レート決定処理（ステップＳ１４）を実行する。
ステップＳ１３のパケット選別処理では、処理対象のパケットが第１管理テーブル１０１に記述された条件と合致するかを判断し、パケットの選別を行う。
ステップＳ１４の伝送レート決定処理では、処理対象のパケットが、第１管理テーブル１０１に示された条件に合致する場合に、第１管理テーブル１０１に記述された伝送レートを参照し、パケットの伝送レートを決定する。
基地局２（１２）は、パケット選別処理（ステップＳ１３）と、伝送レート決定処理（ステップＳ１４）を実行することにより、任意のフローを固定の伝送レートで送信することが可能となる。
【００１７】
また、基地局２（１２）は、無線ＬＡＮネットワーク２（３２）及び有線ネットワーク２（４２）に送信されるパケットを観測することにより通信量を管理し（ステップＳ１７）、新規の無線端末を受け入れ可能かを判断する（ステップＳ１６）。
ステップＳ１６において、受入れが可能（許可）と判断した場合には、そのまま観測を続ける。また、ステップＳ１６において、受入れが可能でない（拒否）と判断した場合には、パケット廃棄処理を有効化する。
ここで、パケット廃棄処理は、第２管理テーブル１０２に記述された条件に合致するパケットに対して、第２管理テーブル１０２に記述された制御内容に基づき廃棄処理を行う。本実施例では、第２管理テーブル１０２に合致したパケットを全部廃棄する処理を行う。
本制御により、新規の無線端末より認証要求を表すパケットが送信された場合に、新規の無線端末が認証処理を完了しないようにすることが可能となる。
図６において、基地局２（１２）が、無線端末６（２６）からの認証要求パケットを受信すると、図７のステップＳ１１の処理が実行され、無線端末６（２６）は認証処理をタイムアウトさせることができ、結果として図６におけるサーバ３，４（６３，６４）と無線端末４、５（２４，２５）との間の通信品質を確保することができる。
なお、前述の説明において、有線ネットワーク２（４２）に接続される装置がサーバである場合を用いて説明したが、有線ネットワーク２（４２）に接続される装置が、無線端末である場合でも同様の動作及び効果が得られることは自明である。
また、パケット廃棄処理については、無線端末から基地局２（１２）に対するパケットヘの制御を例にとって説明を行ったが、認証装置２（５２）から無線端末に対するパケットに対して制御を行う、または双方向に対して制御を行っても、新規無線端末への認証が完了しないため、同様の効果を得ることができる。
【００１８】
図８は、基地局２（１２）の概略構成を示すブロック図である。図８において、実線はパケットの処理の流れを表し、破線は制御信号の流れを表す。
基地局２（１２）のパケット処理の流れを説明する。まず、基地局２（１２）は、有線ネットワーク２（４２）よりパケットを受信すると、有線送受信部１３０内の送受信部１３１においてパケットを受信し、パケット制御部１２０に送信する。
パケット制御部１２０は、パケット選別部１２１とパケット廃棄処理部１２２とを有する。パケット選別部１２１は、第１管理テーブル１０１に登録されている条件に合致するパケットを選別する。処理対象のパケットが、第１管理テーブル１０１に記載されている条件に合致する場合、処理対象のパケットと認識して識別子を付与する。
その後、パケットはパケット制御部１２０から、無線ＬＡＮ送受信部１１０内の伝送レート決定部１１２に送信される。伝送レート決定部１１２は、パケット選別部１２１において識別子が付与されたパケットに対し、第１管理テーブル１０１に記述されている条件に応じて伝送レートを決定し、無線ＬＡＮ送受信部１１０内の送受信部１１１に送信する。送受信部１１１で受信されたパケットは、無線ＬＡＮネットワーク２（３２）に送信される。
【００１９】
また、基地局２（１２）が無線ＬＡＮネットワーク２（３２）より受信したパケットは、無線ＬＡＮ送受信部１１０内の送受信部１１１にて受信され、パケット制御部１２０に渡される。後述するパケット制御部１２０内のパケット廃棄処理部１２２での処理を実行後に、有線送受信部１３０内の送受信部１３１に送られ、その後有線ネットワーク２（４２）に渡される。
受付制御部１４０では、有線送受信部１３０及び無線ＬＡＮ送受信部１１０から送受信されたパケット総量に関する情報が渡され、帯域管理部１４１において通信量を管理する。
受付判断部１４２では、帯域管理部１４１において管理されている現在の通信帯域と無線容量とを比較することにより、新規の無線端末を受付けることが可能かを判断する。
受付判断部１４２において新規の無線端末を受付けることが不可能であると判断した場合には、パケット廃棄処理部１２２に対してパケット廃棄処理を実行するよう制御を行う。
パケット廃棄処理部１２２は、受付制御部１４０からの指示により有効化された場合には、第２管理テーブル１０２に記述された条件に合致するパケットに対し、パケット廃棄処理を実行する。
【００２０】
図８では、受付判断部１４２において、受付を拒否すると判断された場合に、第２管理テーブル１０２を参照し、条件に合致するパケットに対し、有線送受信部１３０内の送受信部１３１から、パケット制御部１２０内のパケット選別部１２１へのパケット、または無線ＬＡＮ送受信部１１０の送受信部１１１から有線送受信部１３０の送受信部１３１へのパケット、またはその両方を廃棄する。
パケット廃棄処理部１２２でのパケット廃棄処理を適用することにより、新規無線端末から送信されるパケットはタイムアウトが生じ、新規無線端末に対する認証が完了しないため、新規無線端末は有線ネットワーク２（４２）に接続される通信機器とは通信ができない状態となり、結果として既に開始している通信の品質を確保することが可能となる。
なお、図８に示したパケット廃棄処理部１２２は、パケット選別部１２１、伝送レート決定部１１２の後にあっても同様の効果を得ることができる。
【００２１】
図９は、本実施例の基地局２（１２）の受付判断方法の一例を説明するための図であり、図９（ａ）は、受付判断方法を実行するためのフローチャートを、図９（ｂ）は、判断方法を説明するための図である。なお、図９は、図４に示される無線ＬＡＮネットワークを前提としている。
始めに、受付判断処理を開始後、無線ネットワーク内の、既に接続済みの無線端末４、５（２４，２５）が占有する無線占有時間を算出する。
無線占有時間の算出方法は、例えば、非特許文献１に示されるMedium Timeを用いて、（下記（１）式により算出することが可能である。
［数１］
Medium Time=Surplus Bandwidth Allowance×pps×MPDU Exchange Time
・・・・・・・・・・・・・・・・・・・・    （１）
ただし、pps=ceiling(Mean Data Rate/8)/Nominal MSDU Size
・・・・・・・・・・・・・・・・・・・・    （２）
MPDU Exchange Time=duration (Nominal MSDU Size,Minimum PHY Rate)+SIFS+ACK duration
・・・・・・・・・・・・・・・・・・・・    （３）
ここで、Mean Data Rate,Nominal MSDU Size,Minimum PHY Rate等のパラメータは、基地局２（１２）より観測された値を適用して算出可能である。
【００２２】
無線端末４、５（２４，２５）に関する無線占有時間を各々Ｔ４，Ｔ５とすると、Ｔ４とＴ５を合算して、基地局における占有時間を把握する（ステップＳ２０）。
次に、基地局２（１２）は、無線ネットワーク内の無線占有時間の上限値（＝Ｔｕｐ）を設定する（ステップＳ２１）。この値はシステム管理者が固定的に与える値である。
続いて、基地局２（１２）は、無線ネットワークにおいて受付が可能かを判断する（ステップＳ２２）。
判断方法は、先に算出した値を用いて次のとおり判断する。
Ｔ４＋Ｔ５＜Ｔｕｐ：許可（ステップＳ２３）
Ｔ４＋Ｔ５≧Ｔｕｐ：拒否（ステップＳ２４）
図９に示す判断方法を、図９（ｂ）を用いて詳細に説明する。
図９（ｂ）は、単位時間（＝Ｔｕｎｉｔ）あたりの無線端末４、５（２４，２５）に関する占有時間と、無線占有時間の上限値（＝Ｔｕｐ）との関係を表す図である。
基地局２（１２）は、算出した無線端末４、５（２４，２５）の占有時間の合計値（＝Ｔ４＋Ｔ５）と、定められた無線占有時間の上限値Ｔｕｐとの比較を行う。図９（ｂ）では、Ｔｕｐは、（Ｔ４＋Ｔ５）よりも小さいため、拒否と判断する。
図９に示す判断方法によれば、第１管理テーブル１０１に記述した条件に合致した無線端末に対する通信に対して、無線占有時間を考慮することが可能となるため、本通信の品質を確保することが可能となる。
【００２３】
図１０は、本実施例の基地局２（１２）の受付判断方法の他の例を説明するための図であり、図１０（ａ）は、受付判断方法を実行するためのフローチャートを、図１０（ｂ）は、判断方法を説明するための図である。なお、図１０は、図４に示される無線ＬＡＮネットワークを前提としている。
受付判断処理を開始後、無線ＬＡＮネットワーク２（３２）内の、既に接続済みの無線端末４、５（２４，２５）が占有する無線占有時間から、無線ＬＡＮネットワーク２（３２）における余剰帯域または時間を算出する。
無線占有時間の算出方法は、前述の場合と同様に、例えば、非特許文献１に示されるMedium Timeを用いることが可能である。
無線端末４、５（２４，２５）に関する無線占有時間を各々Ｔ４，Ｔ５とすると、下記（４）式により、単位時間（＝Ｔｕｎｉｔ）あたりの余剰時間（＝Ｔｓｕｒｐｌｕｓ）を算出する（ステップＳ３０）。
［数２］
Ｔｓｕｒｐｌｕｓ＝Ｔｕｎｉｔ−（Ｔ４＋Ｔ５）
・・・・・・・・・・・・・・・・・・・・    （４）
次に、無線端末６（２６）が新しく無線ＬＡＮネットワーク２（３２）に接続される場合に、無線端末６（２６）がこれから占有する時間（＝Ｔ６）を算出する（ステップＳ３１）。Ｔ６は、例えば、非特許文献１に示されるMedium Timeにより算出することが可能である。前述の（１）〜（３）式に示す、Mean Data rate,Nominal MSDU Size,Minimum PHY Rate等のパラメータは、基地局２（１２）により観測された値を適用して算出可能である。
【００２４】
最後に、算出された値を用い、次式により受付判断を行う（ステップＳ３２）。
Ｔｓｕｒｐｌｕｓ≧Ｔ６：許可（ステップＳ３３）
Ｔｓｕｒｐｌｕｓ＜Ｔ６：拒否（ステップＳ３４）
本実施例の判断方法を、図１０（ｂ）を用いて詳細に説明する。図１０（ｂ）は、Ｔｕｎｉｔで表される単位時間において、無線端末４、５（２４，２５）が利用している時間（＝Ｔ４，Ｔ５）と、余剰時間（＝Ｔｓｕｒｐｌｕｓ）および無線端末６（２６）が利用する時間（＝Ｔ６）との関係を表している。
基地局２（１２）は、算出した余剰時間（＝Ｔｓｕｒｐｌｕｓ）と、無線端末６（２６）の占有時間Ｔ６との比較を行う。本図では、ＴｓｕｒｐｌｕｓはＴ６よりも小さいため、拒否と判断する。
図１０に示す判断方法によれば、第１管理テーブル１０１に記述した条件に合致した無線端末に対する通信に対して、無線占有時間を考慮することが可能となるため、本通信の品質を確保することが可能となる。
なお、図９、図１０の判断方法において、無線端末が単位時間に占有する時間に代えて、無線端末が単位時間に占有する帯域を使用することも可能である。
【００２５】
なお、前述の説明において、基地局２（１２）は、コンピュータに実行させることも可能であり、その場合に、基地局２（１２）における受付制御方法は、コンピュータ内のハードディスクなどに格納されるプログラムを、コンピュータが実行することにより行われる。このプログラムは、ＣＤ−ＲＯＭ、あるいは、ネットワークを介したダウンロードにより供給される。
以上説明したように、本実施例によれば、基地局は、無線通信システムで送受信されるパケットの通信品質を監視する機能を具備するため、新規無線端末の通信を許可するか否かを判断でき、また基地局は、新規無線端末の通信を拒否すると判断した場合には、予め登録された条件に合致するパケット、例えば、新規に認証装置に向けて要求を送信した無線端末に属するパケットを、全て廃棄または一部廃棄する機能を具備するため、これ以上新たに通信は開始されることがなく、既に通信している通信の品質を確保することができる。
さらに、本実施例によれば、無線端末に関する通信の占有時間の総量を考慮して判断できるため、無線端末の台数を制限する方法と比較して、帯域の利用効率を高めることができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２６】
【図１】従来の無線ＬＡＮネットワークの概略構成を示すブロック図である。
【図２】従来の無線ＬＡＮネットワークにおける接続シーケンスを示す図である。
【図３】従来の無線ＬＡＮ基地局装置におけるパケットの送信処理の処理手順を示すフローチャートである。
【図４】本発明の実施例の無線ＬＡＮネットワークの概略構成を示すブロック図である。
【図５】本発明の実施例の無線ＬＡＮ基地局装置内の第１管理テーブルおよび第２管理テーブルの内容を示す図である。
【図６】本発明の実施例の無線ＬＡＮネットワークの接続シーケンスを示す図である。
【図７】本発明の実施例の無線ＬＡＮ基地局装置におけるパケット送信処理及び受付制御方法の処理手順を示すフローチャートである。
【図８】本発明の実施例の無線ＬＡＮ基地局装置の概略構成を示すブロック図である。
【図９】本発明の実施例の無線ＬＡＮ基地局装置における受付判断方法の一例を説明するための図である。
【図１０】本発明の実施例の無線ＬＡＮ基地局装置における受付判断方法の他の例を説明するための図である。
【符号の説明】
【００２７】
１１，１２  無線ＬＡＮ基地局装置
２１〜２６  無線ＬＡＮ端末
３１，３２  無線ＬＡＮネットワーク
４１，４２  有線ネットワーク
５１，５２  認証装置
６１〜６４  サーバ
１０１  第１管理テーブル
１０２  第２管理テーブル
１１０  無線ＬＡＮ送受信部
１１１，１３１  送受信部
１１２  伝送レート決定部
１２０  パケット制御部
１２１  パケット選別部
１２２  パケット廃棄処理部
１３０  有線送受信部
１４０  受付制御部
１４１  帯域管理部
１４２  受付判断部
【図１】
0004705619.tif 000002
【図２】
0004705619.tif 000003
【図３】
0004705619.tif 000004
【図４】
0004705619.tif 000005
【図５】
0004705619.tif 000006
【図６】
0004705619.tif 000007
【図７】
0004705619.tif 000008
【図８】
0004705619.tif 000009
【図９】
0004705619.tif 000010
【図１０】
0004705619.tif 000011